(57)【特許請求の範囲】
【請求項１】
所望の被写体を撮像してビデオ信号を生成する撮像手段と、
前記ビデオ信号に対応するオーディオ信号を入力するオーディオ信号入力手段と、
ディスク状記録媒体を着脱可能に保持し、前記ディスク状記録媒体に、前記ビデオ信号及びオーディオ信号を記録する記録手段とを有し、
前記記録手段は、
前記ディスク状記録媒体の情報記録面を同心円状に分割し、この分割された各領域の少なくとも外周側または内周側の何れか一方側に前記ビデオ信号の記録領域を形成し、他方側に、それぞれ前記一方側のビデオ信号の記録領域に記録したビデオ信号に対応する第１のオーディオ信号の記録領域、第２のオーディオ信号の記録領域、第３のオーディオ信号の記録領域および第４のオーディオ信号の記録領域を同心円状に形成するとともに、前記ビデオ信号の記録領域及び前記第１乃至第４のオーディオ信号の記録領域が前記ディスク状記録媒体の径方向に順次循環的に繰り返すように、順次前記ビデオ信号、前記オーディオ信号を記録し、
前記記録手段は、
更に、前記ビデオ信号の解像度を低減した編集処理用の低解像度のビデオ信号を、前記ビデオ信号の記録領域に記録する
ことを特徴とする撮像装置。
【請求項２】
前記ディスク状記録媒体は、
前記ディスク状記録媒体を装着する所定の編集装置において、該ディスク状記録媒体に記録されたビデオ信号及びオーディオ信号を編集する編集リストのデータが記録される
ことを特徴とする請求項１に記載の撮像装置。
【請求項３】
前記ディスク状記録媒体は、
所定領域にシステムデータ領域が形成され、
前記記録手段は、
前記システムデータ領域に前記ビデオ信号及び前記オーディオ信号の管理用データを記録する
ことを特徴とする請求項１に記載の撮像装置。
【請求項４】
前記ディスク状記録媒体は、
前記システムデータ領域が前記情報記録面の最内周に形成された
ことを特徴とする請求項３に記載の撮像装置。
【請求項５】
前記記録手段は、
少なくとも５フレーム分の連続する前記ビデオ信号と、前記ビデオ信号に対応する連続するオーディオ信号とがそれぞれ連続して記録されるように、前記各領域の大きさを設定して順次循環的に前記ビデオ信号及び前記オーディオ信号を記録する
ことを特徴とする請求項１に記載の撮像装置。
【請求項６】
着脱可能に保持されたディスク状記録媒体にビデオ信号及びオーディオ信号を記録するビデオ信号及びオーディオ信号の記録手段と、
前記ディスク状記録媒体よりビデオ信号及びオーディオ信号を再生する再生手段と、
前記再生手段により再生された前記ビデオ信号及びオーディオ信号に基づくオペレータの操作を受け付けて、前記ディスク状記録媒体に記録された前記ビデオ信号及びオーディオ信号を編集する編集リストを作成する編集リスト作成手段と、
前記編集リストを前記ディスク状記録媒体に記録する編集リストの記録手段とを有し、
前記ビデオ信号及びオーディオ信号の記録手段は、
前記ディスク状記録媒体の情報記録面を同心円状に分割し、この分割された各領域の少なくとも外周側または内周側の何れか一方側に前記ビデオ信号の記録領域を形成し、他方側に、それぞれ前記一方側のビデオ信号の記録領域に記録したビデオ信号に対応する第１のオーディオ信号の記録領域、第２のオーディオ信号の記録領域、第３のオーディオ信号の記録領域および第４のオーディオ信号の記録領域を同心円状に形成するとともに、前記ビデオ信号の記録領域及び前記第１乃至第４のオーディオ信号の記録領域が前記ディスク状記録媒体の径方向に順次循環的に繰り返すように、順次前記ビデオ信号、前記オーディオ信号を記録し、
前記ビデオ信号及びオーディオ信号の記録手段は、
更に、前記ビデオ信号の解像度を低減した編集処理用の低解像度のビデオ信号を、前記ビデオ信号の記録領域に記録する
ことを特徴とする編集装置。
【請求項７】
前記ディスク状記録媒体は、
所定領域にシステムデータ領域が形成され、
前記ビデオ信号及びオーディオ信号の記録手段は、
前記システムデータ領域に前記ビデオ信号及び前記オーディオ信号の管理用データを記録する
ことを特徴とする請求項６に記載の編集装置。
【請求項８】
前記ディスク状記録媒体は、
前記システムデータ領域が前記情報記録面の最内周に形成された
ことを特徴とする請求項７に記載の編集装置。
【請求項９】
前記ビデオ信号及びオーディオ信号の記録手段は、
少なくとも５フレーム分の連続する前記ビデオ信号と、前記ビデオ信号に対応する連続するオーディオ信号とがそれぞれ連続して記録されるように、前記各領域の大きさを設定して順次循環的に前記ビデオ信号及び前記オーディオ信号を記録する
ことを特徴とする請求項６に記載の編集装置。
【請求項１０】
ディスク状記録媒体を着脱可能に保持し、所望の被写体を撮像して得られるビデオ信号及びオーディオ信号を前記ディスク状記録媒体に記録する撮像装置と、
前記ディスク状記録媒体を着脱可能に保持し、前記撮像装置により前記ディスク状記録媒体に記録された前記ビデオ信号及びオーディオ信号を再生し、該再生された前記ビデオ信号及びオーディオ信号に基づくオペレータの操作により、前記ビデオ信号及びオーディオ信号を編集する編集リストを作成し、前記編集リストを前記ディスク状記録媒体に記録する編集装置とを備え、
前記撮像装置は、
前記ディスク状記録媒体の情報記録面を同心円状に分割し、この分割された各領域の少なくとも外周側または内周側の何れか一方側に前記ビデオ信号の記録領域を形成し、他方側に、それぞれ前記一方側のビデオ信号の記録領域に記録したビデオ信号に対応する第１のオーディオ信号の記録領域、第２のオーディオ信号の記録領域、第３のオーディオ信号の記録領域および第４のオーディオ信号の記録領域を同心円状に形成するとともに、前記ビデオ信号の記録領域及び前記第１乃至第４のオーディオ信号の記録領域が前記ディスク状記録媒体の径方向に順次循環的に繰り返すように、順次前記ビデオ信号、前記オーディオ信号を記録し、
前記撮像装置は、
更に、前記ビデオ信号の解像度を低減した編集処理用の低解像度のビデオ信号を、前記ビデオ信号の記録領域に記録する
ことを特徴とする編集システム。
【請求項１１】
前記ディスク状記録媒体は、
所定領域にシステムデータ領域が形成され、
前記撮像装置は、
前記システムデータ領域に前記ビデオ信号及び前記オーディオ信号の管理用データを記録し、
前記編集装置は、
前記システムデータ領域に前記編集リストを記録する
ことを特徴とする請求項１０に記載の編集システム。
【請求項１２】
前記ディスク状記録媒体は、
前記システムデータ領域が前記情報記録面の最内周に形成された
ことを特徴とする請求項１１に記載の編集システム。
【請求項１３】
前記撮像装置は、
少なくとも５フレーム分の連続する前記ビデオ信号と、前記ビデオ信号に対応する連続するオーディオ信号とがそれぞれ連続して記録されるように、前記各領域の大きさを設定して順次循環的に前記ビデオ信号及び前記オーディオ信号を記録する
ことを特徴とする請求項１０に記載の編集システム。
【請求項１４】
ディスク状記録媒体を着脱可能に保持し、
前記ディスク状記録媒体に、ビデオ信号及びオーディオ信号を記録する記録手段を有し、
前記記録手段は、
前記ディスク状記録媒体の情報記録面を同心円状に分割し、この分割された各領域の少なくとも外周側または内周側の何れか一方側に前記ビデオ信号の記録領域を形成し、他方側に、それぞれ前記一方側のビデオ信号の記録領域に記録したビデオ信号に対応する第１のオーディオ信号の記録領域、第２のオーディオ信号の記録領域、第３のオーディオ信号の記録領域および第４のオーディオ信号の記録領域を同心円状に形成するとともに、前記ビデオ信号の記録領域及び前記第１乃至第４のオーディオ信号の記録領域が前記ディスク状記録媒体の径方向に順次循環的に繰り返すように、順次前記ビデオ信号、前記オーディオ信号を記録し、
前記記録手段は、
更に、前記ビデオ信号の解像度を低減した編集処理用の低解像度のビデオ信号を、前記ビデオ信号の記録領域に記録する
ことを特徴とする記録信号処理装置。
【請求項１５】
前記ディスク状記録媒体は、
前記ディスク状記録媒体を装着する所定の編集装置において、該ディスク状記録媒体に記録されたビデオ信号及びオーディオ信号を編集する編集リストのデータが記録される
ことを特徴とする請求項１４に記載の記録信号処理装置。
【請求項１６】
前記ディスク状記録媒体は、
所定領域にシステムデータ領域が形成され、
前記記録手段は、
前記システムデータ領域に前記ビデオ信号及び前記オーディオ信号の管理用データを記録する
ことを特徴とする請求項１４に記載の記録信号処理装置。
【請求項１７】
前記ディスク状記録媒体は、
前記システムデータ領域が前記情報記録面の最内周に形成された
ことを特徴とする請求項１６に記載の記録信号処理装置。
【請求項１８】
前記記録手段は、
少なくとも５フレーム分の連続する前記ビデオ信号と、前記ビデオ信号に対応する連続するオーディオ信号とがそれぞれ連続して記録されるように、前記各領域の大きさを設定して順次循環的に前記ビデオ信号及び前記オーディオ信号を記録する
ことを特徴とする請求項１４に記載の記録信号処理装置。
【請求項１９】
ディスク状記録媒体を着脱可能に保持し、前記ディスク状記録媒体に、ビデオ信号及びオーディオ信号を記録する記録信号処理装置における記録信号処理方法において、
前記ディスク状記録媒体の情報記録面が同心円状に分割され、この分割された各領域の少なくとも外周側または内周側の何れか一方側に前記ビデオ信号の記録領域を形成し、他方側に、それぞれ前記一方側のビデオ信号の記録領域に記録したビデオ信号に対応する第１のオーディオ信号の記録領域、第２のオーディオ信号の記録領域、第３のオーディオ信号の記録領域および第４のオーディオ信号の記録領域を同心円状に形成し、
前記ビデオ信号の記録領域及び前記第１乃至第４のオーディオ信号の記録領域が前記ディスク状記録媒体の径方向に順次循環的に繰り返すように、順次前記ビデオ信号、前記オーディオ信号を記録するとともに、更に、前記ビデオ信号の解像度を低減した編集処理用の低解像度のビデオ信号を、前記ビデオ信号の記録領域に記録する
ことを特徴とする記録信号処理方法。
【請求項２０】
前記ディスク状記録媒体は、
前記ディスク状記録媒体を装着する所定の編集装置において、該ディスク状記録媒体に記録されたビデオ信号及びオーディオ信号を編集する編集リストのデータが記録される
ことを特徴とする請求項１９に記載の記録信号処理方法。
【請求項２１】
前記ディスク状記録媒体は、
所定領域にシステムデータ領域が形成され、
前記記録信号処理方法は、
前記システムデータ領域に前記ビデオ信号及び前記オーディオ信号の管理用データを記録する
ことを特徴とする請求項１９に記載の記録信号処理方法。
【請求項２２】
前記ディスク状記録媒体は、
前記システムデータ領域が前記情報記録面の最内周に形成された
ことを特徴とする請求項２１に記載の記録信号処理方法。
【請求項２３】
少なくとも５フレーム分の連続する前記ビデオ信号と、前記ビデオ信号に対応する連続するオーディオ信号とがそれぞれ連続して記録されるように、前記各領域の大きさを設定して順次循環的に前記ビデオ信号及び前記オーディオ信号を記録する
ことを特徴とする請求項１９に記載の記録信号処理方法。
【発明の詳細な説明】
【０００１】
【発明の属する技術分野】
本発明は、撮像装置、編集装置、編集システム、記録信号処理装置及び記録信号処理方法に関し、例えば現場にて取材した番組を編集するフィールド編集システムに適用することができる。本発明は、取材から編集までの過程を１のディスク状記録媒体により処理できるようにしてこの種のシステムの使い勝手を向上するにつき、ディスク状記録媒体の記録領域を同心円状に分割してビデオ信号の記録領域とオーディオ信号の記録領域を形成することにより、記録再生能力の低下を有効に回避する。
【０００２】
【従来の技術】
従来、放送局外のフィールドでなる取材現場等においては、取材した番組を簡易な編集システムで編集することにより、取材結果を迅速に放送できるようになされている。このような編集システムは、磁気テープによる取材内容を、中間の記録媒体でなるハードディスク装置に一旦記録して編集することにより、効率良く編集できるようになされている。
【０００３】
すなわちフィールドにおいて、２台のビデオテープレコーダを用いたいわゆるＡＢロール編集により取材結果を編集したのでは、磁気テープを早送り、巻き戻しして所望のカットを頭出しする作業等に時間を要し、その分編集作業に時間を要するようになる。
【０００４】
このため中間の記録媒体を用いる編集システムは、例えばカメラ一体型ビデオテープレコーダにより磁気テープに記録したビデオ信号及びオーディオ信号を、一旦、ハードディスク装置にダビングする。その後、このハードディスク装置上におけるビデオ信号及びオーディオ信号の再生により編集点を設定して編集リストを作成した後、この編集リストに従ってハードディスク装置に記録したビデオ信号及びオーディオ信号を磁気テープに記録する。
【０００５】
この編集システムでは、磁気テープを用いたＡＢロール編集の場合に比して、編集点の設定に要する時間を格段的に低減でき、その分例えば報道関係の取材結果を短時間で放送することができる。
【０００６】
【発明が解決しようとする問題】
ところがこの編集システムでは、磁気テープに記録されたビデオ信号及びオーディオ信号を中間の記録媒体にダビングするのに時間を要する。ちなみに、３０分の取材結果を例えば４倍速によりハードディスク装置に記録する場合でも、ハードディスク装置に記録するために７分３０秒もの時間を要することになる。
【０００７】
また編集結果についても、磁気テープに記録し直して放送局に持ち帰ることにより、この磁気テープにビデオ信号を記録し直すのにも時間を要することになる。
【０００８】
この種の時間を短縮して、従来に比して格段的に効率良く取材結果を処理することができれば、さらに一段とこの種のシステムの使い勝手を向上できると考えられる。
【０００９】
この場合に、磁気テープに代えて光ディスクでなる共通の記録媒体により、撮像から編集までの処理を実行すれば、ビデオ信号及びオーディオ信号の中間の記録媒体へのダビングの処理を省略できると考えられる。また光ディスクに編集リストを記録して放送局に持ち帰ることにより、編集結果を記録し直す作業も省略できると考えられる。また光ディスクにおいては、ランダムアクセスできることにより、ハードディスク装置にビデオ信号及びオーディオ信号を記録した場合と同様の、ノンリニア編集の処理も実行でき、これらにより編集作業を効率良く実行できると考えられる。
【００１０】
ところが単に光ディスクにより編集装置を構成した場合、効率良く再生信号を処理できない問題がある。
【００１１】
すなわち図１６にＺＣＡＶ（Zoned Constant Angular Verocity)による場合を示すように、従来の光ディスクにおいては、例えばＧＯＰ（Group Of Pictures ）単位でビデオ信号及びオーディオ信号を時分割多重化し、この多重化により生成されたビットストリームを順次記録する。これにより光ディスクでは、らせん状に形成されたトラックに、ビデオ信号を記録したビデオエリアとオーディオ信号を記録したオーディオエリアとが順次循環的に形成される。
【００１２】
これに対して編集処理においては、異なる日時、現場で取材したビデオ信号とオーディオ信号を組み合わせて使用する場合もある。このような場合に、このようにビデオ信号とオーディオ信号を時分割多重化して記録した光ディスクにおいては、連続して光ディスクより得られる再生信号からビデオ信号又はオーディオ信号を選択的に再生することになる。
【００１３】
この場合に、３０〔Mbps〕のディジタルビデオ信号及び３〔Mbps〕のディジタルオーディオ信号を時分割多重化して記録した光ディスクよりディジタルビデオ信号を再生する場合、３３〔Mbps〕のデータレートにより再生するとして、実際に有効なビデオデータは、３０〔Mbps〕／３３〔Mbps〕となり、見かけ上、記録再生能力は約９１〔％〕に低下する。またこの場合ディジタルオーディオ信号については、記録再生能力が約９〔％〕に低下する。このようにして記録再生能力が低下して効率良く再生信号を処理できない場合、その分実際に編集結果として出力するビデオ信号及びオーディオ信号の伝送速度に対して、再生系の能力を増大させる必要があり、その分全体構成が複雑かつ煩雑になる。
【００１４】
本発明は以上の点を考慮してなされたもので、取材から編集までの過程を１のディスク状記録媒体により処理する場合に、記録再生能力の低下を有効に回避することができる撮像装置、編集装置、編集システム、記録信号処理装置及び記録信号処理方法を提案しようとするものである。
【００１５】
【課題を解決するための手段】
かかる課題を解決するため本発明においては、撮像装置に適用して、着脱可能に保持したディスク状記録媒体にビデオ信号及びオーディオ信号を記録する記録手段において、ディスク状記録媒体の情報記録面を同心円状に分割して、ビデオ信号及びオーディオ信号を各領域に割り当てて記録する。
【００１６】
またこれに代えて、ディスク状記録媒体の情報記録面を同心円状に複数の領域に分割して、ビデオ信号及びオーディオ信号を各領域に順次循環的に割り当てて記録する。
【００１７】
また編集装置に適用して、このようにしてビデオ信号及びオーディオ信号を記録したディスク状記録媒体に編集リストを記録する。
【００１８】
また編集システムに適用して、撮像装置においては、着脱可能に保持したディスク状記録媒体の情報記録面を同心円状に分割して、ビデオ信号及びオーディオ信号を各領域に割り当てて記録し、又は着脱可能に保持したディスク状記録媒体の情報記録面を同心円状に複数の領域に分割して、ビデオ信号及びオーディオ信号を各領域に順次循環的に割り当てて記録し、編集装置においては、これらのディスク状記録媒体に編集リストを記録する。
【００１９】
撮像装置に適用して、着脱可能に保持したディスク状記録媒体の情報記録面を同心円状に分割して、ビデオ信号及びオーディオ信号を各領域に割り当てて記録すれば、また着脱可能に保持したディスク状記録媒体の情報記録面を同心円状に複数の領域に分割して、ビデオ信号及びオーディオ信号を各領域に順次循環的に割り当てて記録すれば、各領域をそれぞれアクセスして、ビデオ信号だけを、又はオーディオ信号だけを処理することができる。これにより記録再生能力の低下が有効に回避される。
【００２０】
またこのディスク状記録媒体を着脱可能に保持し、編集装置において、編集リストを記録すれば、記録から編集までの処理を、１の記録媒体により１元的に管理して、編集作業を効率化することができる。
【００２１】
【発明の実施の形態】
以下、適宜図面を参照しながら本発明の実施の形態を詳述する。
【００２２】
（１−１）第１の実施の形態の構成
図２は、本発明の第１の実施の形態に係る編集システムを示す平面図である。この編集システム１では、テレビジョンカメラ２を用いて光ディスク３に取材内容でなるディジタルビデオ信号及びディジタルオーディオ信号を記録する。さらに編集システム１では、取材が完了すると、テレビジョンカメラ２より光ディスク３を取り外して、例えば車載のビュアー４にこの光ディスク３を装填し、パーソナルコンピュータ５の制御によりこのビュアー４を操作して光ディスク３に記録されたディジタルビデオ信号及びディジタルオーディオ信号を再生し、またこれらディジタルビデオ信号及びディジタルオーディオ信号の編集リストを光ディスク３に記録する。
【００２３】
このためテレビジョンカメラ２は、所望の被写体を撮像して得られるディジタルビデオ信号及びディジタルオーディオ信号を所定のフォーマットにより光ディスク３に記録し、ビュアー４は、この光ディスク３をアクセスしてディジタルビデオ信号及びディジタルオーディオ信号を記録再生し、また編集点の設定を受け付ける。パーソナルコンピュータ５は、表示画面に表示されたメニューの操作により、ビュアー４の動作を制御し、また編集点の設定を受け付ける。さらにパーソナルコンピュータ５は、設定された編集点による編集リストを作成し、この編集リストをビュアー４により光ディスク３に記録する。
【００２４】
これによりこの編集システム１では、この光ディスク３を放送局に持ち帰り、この光ディスク３に記録された編集リストに従って、光ディスク３に記録された取材内容の編集結果を即座に放送できるようになされ、また必要に応じて直接ＳＮＧ回線等を介してこのビュアー４より放送局に編集結果を伝送できるようになされている。
【００２５】
図１は、このシステム１に適用される光ディスク３を示す平面図である。この光ディスク３は、所定のカートリッジ３Ａに収納して保持され、これにより塵等の進入を有効に回避できるようになされている。さらに光ディスク３は、テレビジョンカメラ２又はビュアー４等の機器に装填されると、このカートリッジ３Ａに配置されたシャッターがスライドして情報記録面が露出するように形成され、これによりテレビジョンカメラ２、ビュアー４によりアクセスできるようになされている。
【００２６】
この光ディスク３は、両面に情報記録面を形成した、書き換え可能ないわゆる相変化型の光ディスクでなり、レーザービームのガイド溝を担うプリグルーブが蛇行して形成され、レーザービーム照射位置におけるこのプリグルーブの蛇行周期が一定周期になるように回転駆動して、線速度一定の条件により光ディスク３を回転駆動できるようになされている。さらに光ディスク３は、一方の面側においては、この面側より見て、プリグルーブが時計周りで外周側から内周側に順次形成されるのに対し、他方の面側においては、この他方の面側より見て、プリグルーブが反時計周りで外周側から内周側に順次形成されるようになされている。これにより光ディスク３は、両面に対向するように配置した１対の光ピックアップを外周側より内周側に順次移動させて、それぞれ各面においてプリグルーブに沿ってレーザービーム照射位置を順次変位させることができるようになされている。
【００２７】
この光ディスク３は、内周側に、システムデータ領域ＡＲ１が形成される。ここでこのシステムデータ領域ＡＲ１は、同心円状に３つの領域ＡＲ１Ａ、ＡＲ１Ｂ、ＡＲ１Ｃに分割され、最内周の領域ＡＲ１Ａに、この光ディスクの製造時に記録された管理用データが記録される。ここでこの管理用データは、光ディスク３へのデータ記録時における最適光量、光ディスク３で共通のシリアル番号、各光ディスク３にそれぞれ割り当てられた固有の識別データ等により構成される。
【００２８】
続く外周側の領域ＡＲ１Ｂには、光ディスク３に記録したディジタルビデオ信号及びディジタルオーディオ信号の管理用データが記録される。ここで管理用データは、ディジタルビデオ信号及びディジタルオーディオ信号による各ファイルの記録開始位置、記録終了位置でなるアドレス情報、記録開始時点及び記録終了時点のタイムコード、カメラマンにより設定される編集可能ファイルか否かの識別データ、撮像時の条件のデータにより構成される。ここで撮像時の条件のデータは、撮像した日時、場所、カメラマンの名前、テレビジョンカメラのセッティングデータにより構成され、セッティングデータは、テレビジョンカメラ２に設定されたホワイトバランス、利得、オーディオ信号のレベル設定、絞りのデータ等が記録される。これにより光ディスク３では、この領域ＡＲ１Ｂに記録された管理用データにより、光ディスク３に記録された各ファイルの履歴等を確認できるようになされている。
【００２９】
続く外周側の領域ＡＲ１Ｃは、編集用のデータが記録される。ここでこの編集用のデータは、ファイル形式により記録され、この光ディスク３に記録された各ファイルを編集する編集リストが記録される。なおこの編集リストは、各ファイルについて設定された編集点のデータが、タイムコード及びアドレスにより、遷移の形態（例えばカット編集、クロスフェード等）と共に、再生順序に記録されて形成される。これにより光ディスク３は、所望の編集リストを選択して、この選択した編集リストに従って記録した取材内容を順次再生できるようになされている。
【００３０】
なおこの光ディスク３に記録したディジタルビデオ信号の管理用データの記録領域ＡＲ１Ｂ、編集用のデータの記録領域ＡＲ１Ｃは、光ディスク３の片面に記録される。
【００３１】
これに対して外周側の領域ＡＲ２は、ユーザー領域に割り当てられ、ディジタルビデオ信号及びディジタルオーディオ信号が記録される。ここでこのユーザー領域ＡＲ２は、プリグルーブ間に形成されたプリピットにより同心円状にゾーニングされ、２６個のゾーンが形成される。各ゾーンは、最内周のゾーンに１周当たり１９個のセクタが割り当てられ、外周側のゾーン程１周当たりのセクタ数が順次増大し、最外周のゾーンでは、１周当たり４５個のセクタが割り当てられるようになされている。
【００３２】
さらにユーザー領域ＡＲ２は、このセクタによるゾーニングとは無関係に、５つの領域に同心円状に分割され、最外周の領域がディジタルビデオ信号Ｖ１の記録領域に割り当てられ、内周側の各領域が、それぞれ４チャンネルのディジタルオーディオ信号Ａ１〜Ａ４の記録領域に割り当てられる。これによりこの光ディスク３では、例えば被写体を撮像する際の被写体及び周囲の音声（以下環境音と呼ぶ）、アナウンサーによる解説の音声、種々の言語による解説の音声、バックグラウンドミュージック等を、ディジタルビデオ信号に対応して記録できるようになされている。
【００３３】
図３は、テレビジョンカメラ２を示すブロック図である。このテレビジョンカメラ２は、光ディスク３を着脱可能に保持し、この光ディスク３にディジタルビデオ信号を記録し、またこのディジタルビデオ信号に付随する環境音のディジタルオーディオ信号、アナウンサーの音声によるディジタルオーディオ信号等を記録する。
【００３４】
すなわちテレビジョンカメラ２において、光ピックアップ７Ａ及び７Ｂは、光ディスク３の両面に対向するように保持され、スレッド機構８は、サーボ回路９の制御によりこれら光ピックアップ７Ａ及び７Ｂを連動して光ディスク３の半径方向に可動する。このときユーザー領域ＡＲ２をアクセスする場合、光ピックアップ７Ａ及び７Ｂは、連動して、所定の時間間隔で順次ユーザー領域ＡＲ２の各領域をアクセスし、これによりディジタルビデオ信号及びディジタルオーディオ信号をそれぞれ対応する記録領域に記録し、また各領域に記録されたディジタルビデオ信号及びディジタルオーディオ信号を再生する。また光ディスク３のアクセス開始時等においては、システムデータ領域ＡＲ１をシークするようになされている。
【００３５】
さらに光ピックアップ７Ａ及び７Ｂは、光ディスク３にレーザービームを照射し、その戻り光を受光することにより、それぞれトラッキングエラー量に応じて信号レベルが変化するトラッキングエラー信号、フォーカスエラー量に応じて信号レベルが変化するフォーカスエラー信号、グルーブの蛇行に応じて信号レベルが変化するウォウブル信号、戻り光の光量に応じて信号レベルが変化する再生信号ＲＦを生成して出力する。
【００３６】
また光ピックアップ７Ａ及び７Ｂは、それぞれレーザービームの光量に応じて信号レベルが変化するレーザービーム光量のモニタ信号を出力し、このモニタ信号の信号レベルを基準にしたサーボ回路９の制御により、記録信号処理回路１１より出力される駆動信号ＳＲ等に応じて、再生時の光量からピット形成の最適光量にレーザービームの光量を間欠的に立ち上げる。これによりテレビジョンカメラ２は、レーザービームの光量を間欠的に立ち上げて、光ディスク３の未記録領域に所望のデータを熱記録する。
【００３７】
このデータ記録の際の各領域において、光ピックアップ７Ａ、７Ｂは、スレッド機構８により、ユーザー領域ＡＲ２の各領域を順次循環的にシークして、かつ各領域においては外周側より順次内周側に変位して、ディジタルビデオ信号及びディジタルオーディオ信号を光ディスク３に熱記録する。これによりテレビジョンカメラ２では、光ディスク３を角速度一定の条件により回転駆動した際に、高転送レートにより記録されたデータを再生することができる外周側領域より、順次ディジタルビデオ信号及びディジタルオーディオ信号を光ディスク３に記録するようになされている。
【００３８】
サーボ回路９は、これらトラッキングエラー信号及びフォーカスエラー信号に基づいてそれぞれ光ピックアップ７Ａ及び７Ｂをトラッキング制御及びフォーカス制御する。またサーボ回路９は、このウォウブル信号の信号レベルが所定周波数により変位するようにスピンドルモータ１０を駆動し、これにより光ディスク３を線速度一定の条件により回転駆動する。
【００３９】
さらにサーボ回路９は、光ディスク３がこのテレビジョンカメラ２に装填されると、システム制御回路１３の制御により、スレッド機構８を駆動して光ピックアップ７Ａ及び７Ｂを光ディスク３のシステムデータ領域ＡＲ１にシークさせる。これによりテレビジョンカメラ２では、事前に、システムデータ領域ＡＲ１に記録された各種管理用データをシステム制御回路１３で取得できるようになされている。またこれとは逆に、このテレビジョンカメラ２の電源遮断時、光ディスク３の排出時等において、サーボ回路９は、同様に、スレッド機構８を駆動して光ピックアップ７Ａ及び７Ｂを光ディスク３のシステムデータ領域ＡＲ１にシークさせ、必要に応じてシステムデータ領域ＡＲ１に管理用データを追加記録できるようになされている。
【００４０】
カメラユニット１４は、被写体を撮像する光学系、この光学系を介して得られる被写体の像を撮像するＣＣＤ固体撮像素子、このＣＣＤ固体撮像素子の出力信号を信号処理してディジタルビデオ信号Ｖ１を出力する信号処理系により構成される。これらの信号処理において、カメラユニット１４は、カメラユニット１４に配置された制御回路の制御により、ホワイトバランス、利得、オーディオ信号のレベル、絞り等が設定されて撮像の条件が設定され、この設定された条件でなるセッティングデータＤＳをシステム制御回路１３に通知する。またカメラユニット１４は、ディジタルビデオ信号Ｖ１のタイムコードをシステム制御回路１３に通知する。
【００４１】
記録信号処理回路１１は、カメラユニット１４より出力されるディジタルビデオ信号Ｖ１を、２チャンネルのディジタルオーディオ信号Ａ１、Ａ２と共に記録信号ＳＲに変換して出力する。なおここでこの２チャンネルのディジタルオーディオ信号Ａ１、Ａ２のうち、１チャンネルのディジタルオーディオ信号Ａ１は、いわゆるフロントマイクによるステレオのディジタルオーディオ信号であり、一般に環境音が割り当てられる。また残る１チャンネルのディジタルオーディオ信号Ａ２は、いわゆるリアマイクによるディジタルオーディオ信号であり、例えばアナウンサーによる解説の音声が割り当てられる。これによりテレビジョンカメラ２では、光ディスク３に記録可能な４チャンネルのディジタルオーディオ信号Ａ１〜Ａ４のうち、２チャンネルのディジタルオーディオ信号を記録するようになされている。
【００４２】
再生信号処理回路１５は、光ピックアップ７Ａ及び７Ｂより出力される再生信号ＲＦを信号処理して、ディジタルビデオ信号Ｖ１及びディジタルオーディオ信号Ａ１、Ａ２を再生し、ビューファインダ又は外部機器に出力する。これによりテレビジョンカメラ２では、必要に応じて撮像結果を即座にモニタできるようになされている。これに対して再生信号処理回路１５は、光ディスク３が装填された直後の、光ピックアップ７Ａ及び７Ｂがシステムデータ領域ＡＲ１をアクセスする場合には、ディジタルビデオ信号Ｖ１及びディジタルオーディオ信号Ａ１、Ａ２に代えて、このシステムデータ領域ＡＲ１に記録された管理用データを再生してシステム制御回路１３に出力する。
【００４３】
システム制御回路１３は、このテレビジョンカメラ２の記録再生系を制御するマイクロコンピュータにより構成され、光ディスク３が装填されると、サーボ回路９、再生信号処理回路１５の動作を制御して、システムデータ領域ＡＲ１に記録された管理用データを取得する。
【００４４】
さらにシステム制御回路１３は、カメラマンにより録画ボタン１７が繰り返し押圧操作されると、この操作に応動して記録信号処理回路１１、サーボ回路９の動作を切り換え、これにより光ディスク３にディジタルビデオ信号Ｖ１、ディジタルオーディオ信号Ａ１、Ａ２を記録し、また光ディスク３への記録を中止する。このときシステム制御回路１３は、システムデータ領域ＡＲ１より取得した管理用データを基準にして、光ピックアップ７Ａ、７Ｂをシークさせ、これにより光ディスク３の未記録領域にディジタルビデオ信号Ｖ１、ディジタルオーディオ信号Ａ１、Ａ２を記録する。さらにこの録画ボタン１７の押圧操作に対応する録画開始の時点、録画終了の時点におけるタイムコード、光ディスク３のアドレスを内蔵のメモリに一時保持する。
【００４５】
またシステム制御回路１３は、操作子１９の操作により入力される撮像した日時、場所、カメラマンの名前のデータ、マーカーキー１９Ａの操作により編集可能ファイルか否かの識別データ、カメラユニット１４より通知されるセッティングデータＤＳを内蔵のメモリに一時保持する。システム制御回路１３は、このようにして内蔵のメモリに一時保持したデータにより、光ディスク３に記録した各ファイルの管理用データを形成し、光ディスク３の排出時等において、図示しない駆動回路を介してこれら管理用データを光ディスク３のシステムデータ領域に書き加える。
【００４６】
またシステム制御回路１３は、カメラマンが再生の操作ボタン等を操作すると、再生信号処理回路１５の動作を立ち上げ、これにより光ディスク３に記録されたファイルを必要に応じてモニタできるようにする。
【００４７】
図４は、記録信号処理回路１１を示すブロック図である。この記録信号処理回路１１においてビデオプロセス回路２０は、カメラユニット１４より出力されるディジタルビデオ信号Ｖ１を受け、このディジタルビデオ信号Ｖ１の信号レベルを補正し、またブランキング期間等の不要なデータを除去して出力する。
【００４８】
データ圧縮回路２１は、このビデオプロセス回路２０より出力されるディジタルビデオ信号Ｖ１をＭＰＥＧ（Moving Picture Experts Group）に規定のフォーマットにより順次データ圧縮して出力する。パッキング回路２２は、このデータ圧縮回路２１より出力される画像データを所定のデータ単位でブロック化して出力する。
【００４９】
オーディオプロセス２３は、ディジタルオーディオ信号Ａ１及びＡ２について、信号レベルを補正して出力する。ＥＣＣ回路２４は、オーディオプロセス２３より出力されるオーディオデータ、パッキング回路２２より出力される画像データについて、積符号形式の誤り訂正符号を付加して出力する。このとき記録信号処理回路１１においては、所定のバッファメモリを介して、ディジタルオーディオ信号Ａ１及びＡ２、画像データを順次交互にデータ処理し、これにより図５に示すように、記録信号処理回路１１においては、連続するディジタルビデオ信号Ｖ１、ディジタルオーディオ信号Ａ１、Ａ２（図５（Ａ）、（Ｂ１）、（Ｂ２））を入力して、このＥＣＣ回路２４により時分割多重化して出力する。（図５（Ｃ））。
【００５０】
メモリ２５は、大容量のバッファメモリでなり、ＥＣＣ回路２４の出力データＡＶ１を一時格納して時間軸圧縮し、所定の配列により出力する。すなわちメモリ２５は、所定データ量だけ画像データＶ１を出力すると、光ピックアップ７Ａ及び７Ｂがシークに要する時間を間に挟んで、続いて第１チャンネルのディジタルオーディオ信号Ａ１を画像データＶ１に対応するデータ量だけ出力する。続いてメモリ２５は、光ピックアップ７Ａ及び７Ｂがシークに要する時間を間に挟んで、続いて第２チャンネルのディジタルオーディオ信号Ａ２を画像データＶ１に対応するデータ量だけ出力し（図５（Ｄ））、光ピックアップ７Ａ及び７Ｂがシークに要する時間を間に挟んで、再び画像データＶ１の出力を開始する。この実施の形態において、光ディスク３は、このメモリ２５の入出力と、このメモリ２５の入出力に対応する光ピックアップ７Ａ及び７Ｂのシークとにより、図１について上述したように、ユーザー領域ＡＲ２の各領域に順次ディジタルビデオ信号及びディジタルオーディオ信号を記録するようになされている。
【００５１】
ストライピング回路２６は、このメモリ２５の出力データＡＶ２を、光ピックアップ７Ａ及び７Ｂに対応する２系統のデータに分離して出力する。チャンネルコーディング回路２７Ａ及び２７Ｂは、このストライピング回路２６より出力される２系統のデータをインターリーブ処理した後、光ディスク３の記録に適した変調方式により変調して出力する。セクタライズ回路２８Ａ及び２８Ｂは、それぞれチャンネルコーディング回路２７Ａ及び２７Ｂの出力データに同期パターン、プリアンブル、ポストアンブル等のデータを付加して出力する。駆動回路２９Ａ及び２９Ｂは、それぞれセクタライズ回路２８Ａ及び２８Ｂの出力データに応じて光ピックアップ７Ａ及び７Ｂを駆動して、レーザービームの光量を間欠的に立ち上げる。
【００５２】
これによりテレビジョンカメラ２では、パッキング回路２２より３０〔Mbps〕のデータ転送速度により出力されるディジタルビデオ信号Ｖ１、オーディオプロセス２３よりそれぞれ３〔Mbps〕のデータ転送速度により出力されるディジタルオーディオ信号Ａ１、Ａ２を光ディスク３に記録する。なお、管理用データについては、システム制御回路１３の出力されるデータが所定のデータ処理回路を介して駆動回路２９Ｂに入力され、これにより光ディスク３に記録されるようになされている。
【００５３】
図６は、テレビジョンカメラ２の再生信号処理回路１５を示すブロック図である。ここでこの再生信号処理回路１５においては、図５との対比により図７に示すように、光ピックアップ７Ａ、７Ｂがユーザー領域ＡＲ２の各領域を順次循環的にアクセスすることにより、所定のシーク時間を間に挟んで、ディジタルビデオ信号Ｖ１による再生信号、ディジタルオーディオ信号Ａ１、Ａ２による再生信号が順次入力される（図７（Ａ））。
【００５４】
再生信号処理回路１５において、前処理回路３０Ａ及び３０Ｂは、それぞれ内蔵のイコライザ回路により光ピックアップ７Ａ及び７Ｂより出力される再生信号ＲＦを波形等化した後、２値化回路により２値化する。さらに前処理回路３０Ａ及び３０Ｂは、２値化して得られる２値化信号より内蔵のＰＬＬ回路によりクロックを再生する。さらに前処理回路３０Ａ及び３０Ｂは、このクロックにより再生信号ＲＦを順次アナログディジタル変換処理し、その結果得られるディジタル再生信号を出力する。
【００５５】
ＰＲＭＬ（Partial Response Maximum Likelihood ）回路３１Ａ及び３１Ｂは、それぞれ前処理回路３０Ａ及び３０Ｂより出力されるディジタル再生信号を波形等化した後、例えばビタビ復号回路でなる最冗復号回路により復号し、これによりＰＲＭＬの手法を適用して光ディスク３に記録されたディジタルビデオ信号及びディジタルオーディオ信号を復号する。
【００５６】
チャンネルデコーディング回路３２Ａ、３２Ｂは、このＰＲＭＬ回路３１Ａ及び３１Ｂの出力データをデインターリーブ処理して出力する。メモリ３３Ａ及び３３Ｂは、このチャンネルデコーディング回路３２Ａ、３２Ｂの出力データを一時保持して所定順序により出力する。すなわち光ピックアップ７Ａ、７Ｂのシークに対応した順序で光ディスク３より再生される再生データＡＶ３Ａ、ＡＶ３Ｂ（図７（Ａ））を一時保持し、記録時における処理に対応して、所定のブロック単位でディジタルビデオ信号Ｖ１及びディジタルオーディオ信号Ａ１、Ａ２が連続するように出力する（図７（Ｂ））。
【００５７】
ミクサ（ＭＩＸ）３４は、このメモリ３３Ａ及び３３Ｂより出力される２系統のディジタル信号を１系統のディジタル信号に変換して出力する。ＥＣＣ回路３５は、このミクサ３４の出力データを受け、このデータに付加された誤り訂正符号により誤り訂正処理して出力する。デパッキング回路３６は、ＥＣＣ回路３５よりビデオデータを受け、このビデオデータを元の配列により出力する。
【００５８】
データ伸長回路３７は、デパッキング回路３６の出力データをデータ伸長して出力し、ビデオプロセス回路３８は、このデータ伸長回路３７の出力データを所定フォーマットのディジタルビデオ信号Ｖ１に変換して出力する（図７（Ｃ））。オーディオプロセス３９は、ＥＣＣ回路３５よりオーディオデータを受け、このオーディオデータを所定フォーマットのディジタルオーディオ信号Ａ１、Ａ２により出力する（図７（Ｄ１）、（Ｄ２））。これによりテレビジョンカメラ２では、光ディスク３に記録した取材結果をその場で確認できるようになされている。
【００５９】
図８は、ビュアー４を示す平面図である。このビュアー４は、パーソナルコンピュータ５と共に取材現場に携帯して、光ディスク３に記録した取材内容を編集する。これによりこの編集システム１では、取材現場にて簡易かつ迅速に取材内容を編集できるようになされている。
【００６０】
ここでビュアー４は、正面に液晶表示パネルでなるディスプレー４０が配置され、このディスプレー４０に編集用の表示画面が形成される。ビュアー４は、この表示画面に形成されたＧＵＩ（Graphical User Interface）により編集作業を実行できるようになされ、また取材内容、編集結果を確認できるようになされている。またビュアー４は、このディスプレー４０の下方両側に内蔵スピーカー４１Ｌ、４１Ｒが配置され、これにより光ディスク３に記録されたディジタルオーディオ信号、編集結果でなる音声を確認できるようになされている。
【００６１】
さらにビュアー４は、内蔵スピーカー４１Ｌ、４１Ｒの下方に、光ディスク３に記録されたディジタルビデオ信号、ディジタルオーディオ信号の記録再生に必要な、再生、早送り、逆転再生等の基本的な操作ボタン４２が配置される。さらにビュアー４は、例えばシャトル再生、ＪＯＧ再生等の特殊再生に必要なサーチダイヤル４３、編集処理に必要な編集操作ボタン（ＭＡＲＫ  ＩＮボタン／ＭＡＲＫ  ＯＵＴボタン等の必要なカットのＩＮ／ＯＵＴを決定する操作ボタン等により構成される）４４、ポインティングデバイス４５が配置される。
【００６２】
ここで操作ボタン４２、４４は、押圧操作ボタンにより構成され、サーチダイヤル４３は、ロータリーエンコーダ構成の回転操作ボタンにより構成される。これに対してポインティングデバイス４５は、マウスの右クリック及び左クリックの操作ボタンに対応する押圧操作ボタン４５Ｒ、４５Ｌ、ＸＹ座標入力手段でなる操作子４５ＸＹにより構成される。
【００６３】
図９は、ビュアー４の構成を示すブロック図である。このビュアー４は、例えばＳＣＳＩ（Small Computer System Interface ）、Ｅｔｈｅｒｎｅｔ、ＩＥＥＥ (The Institute of Electrical and Electoronics Engineers,Inc.)１３９４等によりパーソナルコンピュータ５と接続されて、操作ボタン４２等の操作に応動して、またパーソナルコンピュータ５の制御により光ディスク３をアクセスし、またパーソナルコンピュータ５で作成された編集リストをシステムデータ領域ＡＲ１に記録する。
【００６４】
すなわちビュアー４において、ディスクドライブユニット５０は、光ディスク３の両面に対向するように、２組の光ピックアップ５１Ａ１、５１Ａ２、５１Ｂ１、５１Ｂ２を保持する。
【００６５】
これら光ピックアップ５１Ａ１〜５１Ｂ２は、それぞれスレッド機構５２Ａ、５２Ｂにより、各組の光ピックアップ５１Ａ１〜５１Ｂ２が光ディスク３を間に挟んで対向するように保持された状態で、光ディスク３の半径方向に可動できるように保持される。さらに１組の光ピックアップ５１Ａ１、５１Ｂ１は、ディジタルビデオ信号の記録再生に割り当てられて、ディジタルビデオ信号Ｖ１の記録領域をアクセスし、残る１組の光ピックアップ５１Ａ２、５１Ｂ２は、ディジタルオーディオ信号の記録再生に割り当られ、ディジタルオーディオ信号Ａ１〜Ａ４の記録領域をアクセスする。これによりビュアー４では、異なる現場、時間において記録したディジタルビデオ信号とディジタルオーディオ信号とを同時並列的に再生できるようになされている。
【００６６】
スピンドルモータ５３は、図示しないスピンドルサーボ回路の制御により、記録時、光ディスク３を線速度一定の条件により回転駆動し、再生時、光ディスク３を角速度一定の条件で回転駆動する。ここでこの角速度一定の条件による場合の光ディスク３の回転速度は、線速度一定の条件によりシステムデータ領域ＡＲ１をアクセスする際の回転速度より高速度の、５０００〔rpm 〕に設定され、具体的にユーザー領域の最内周で５０〔Mbps〕のデータ転送速度により、最外周で１２０〔Mbps〕のデータ転送速度によりディジタルビデオ信号及びディジタルオーディオ信号を再生できるように設定される。これによりディスクドライブユニット５０は、テレビジョンカメラ２において外周側より順次ディジタルビデオ信号及びディジタルオーディオ信号を記録する光ディスク３について、この優先的に記録された外周側の領域程、データ転送速度を増大してディジタルビデオ信号及びディジタルオーディオ信号を再生できるようにする。
【００６７】
サーボ回路５４Ａ、５４Ｂは、光ピックアップ５１Ａ１〜５１Ｂ２をトラッキング制御、フォーカス制御し、またスレッド機構５２Ａ、５２Ｂを介して光ピックアップ５１Ａ１〜５１Ｂ２をスレッド制御する。
【００６８】
信号処理回路５５は、光ピックアップ５１Ａ１〜５１Ｂ２より出力される再生信号を処理し、ディジタルビデオ信号Ｖ１及びディジタルオーディオ信号Ａ１〜Ａ４に対応する再生データをデコードユニット５６に出力し、またシステムデータ領域ＡＲ１の再生データＤＡＲ１をコントローラ５７に出力する。また信号処理回路６５は、エンコードユニット５８より出力される記録データにより光ピックアップ５１Ａ１〜５１Ｂ２を駆動し、これによりディジタルビデオ信号Ｖ１、ディジタルオーディオ信号Ａ１〜Ａ４を光ディスク３のユーザー領域に記録する。またコントローラ５７より出力される編集リストＥＤＬにより光ピックアップ５１Ｂ２を駆動し、これにより編集リストＥＤＬを光ディスク３のシステムデータ領域ＡＲ１に記録する。
【００６９】
コントローラ５７は、このディスクドライブユニット５０の動作を制御するコンピュータにより構成され、システムコントロールユニット５９の制御により、ディスクドライブユニット５０全体の動作を制御する。すなわちコントローラ５７は、システムコントロールユニット５９より出力される書き込み、読み出しの制御コマンドに応動して、光ピックアップ５１Ａ１〜５１Ｂ２をシークさせ、システムコントロールユニット５９により指定される領域をアクセスし、必要に応じて光ディスク３の回転速度を可変制御する。
【００７０】
この光ディスク３のアクセスにおいて、外周側程データ転送速度が増大するように光ディスク３を回転駆動して光ディスク３に記録されたデータを再生するにつき、コントローラ５７は、デコードユニット５６に保持した再生データのデータ量に応じて、所定のタイミングで光ピックアップ５１Ａ１〜５１Ｂ２を外周側にトラックジャンプさせ、これにより間欠的に光ディスク３を再生する。また信号処理回路５５は、この間欠的な光ディスク３の再生と連動して、光ピックアップ５１Ａ１〜５１Ｂ２より出力される再生信号を間欠的に処理する。
【００７１】
これによりビュアー４においては、角速度一定の条件により光ディスク３を回転駆動して、連続してディジタルビデオ信号及びディジタルオーディオ信号を再生し得るようになされている。また間欠的にディジタルビデオ信号及びディジタルオーディオ信号を再生して発生する待ち時間をシークの時間に割り当てることにより、光ディスク３に記録された各ファイルを編集リストに従って離散的にアクセスしても、ディジタルビデオ信号及びディジタルオーディオ信号を連続して再生し得るようになされている。これによりこの編集システム１では、撮像装置から編集過程まで１の光ディスクによりディジタルビデオ信号及びディジタルオーディオ信号を処理できるようになされている。
【００７２】
システムコントロールユニット５９は、このビュアー４全体の動作を制御する制御回路を構成し、インターフェース６１を介して検出される操作ボタン４２、４４等の操作に応動して、またインターフェース６１を介して入力されるパーソナルコンピュータ５からの制御コマンドに応動して、システムコントローラ６０よりディスクドライブユニット５０、デコードユニット５６、エンコードユニット５８に各種制御データを出力し、またこれらディスクドライブユニット５０等からステータスデータを受け取ることによりこれらディスクドライブユニット５０等の動作を制御し、光ディスク３に記録されたディジタルビデオ信号及びディジタルオーディオ信号を再生する。
【００７３】
このときシステムコントローラ６０は、各ファイルの管理用データに基づいて、オペレータの所望するディジタルビデオ信号及びディジタルオーディオ信号を選択的に再生する。これにより例えばカメラマンにより編集に不適と判断されたファイルについて再生を省略し、編集作業の効率を向上する。
【００７４】
さらにこの光ディスク３の再生において、サーチダイヤル４３が操作されると、このサーチダイヤル４３の操作に応動して再生速度を可変制御し、またコマ送りによりディジタルビデオ信号及びディジタルオーディオ信号の再生結果を表示する。またこのようにしてオペレータがディスプレー４０に所定のシーンを選択表示した状態で、編集操作ボタン４４を操作すると、この操作に応動してイン点、アウト点等を設定する。さらにこのイン点、アウト点に設定されたフレームの画像データについて、デコードユニット５６で再生された画像データの転送をデコードユニット５６に指示する。
【００７５】
またシステムコントローラ６０は、光ディスク３に記録されたオーディオ信号についても、同様にして、イン点、アウト点を設定し、このイン点、アウト点近傍の所定範囲、オペレータの選択したディジタルオーディオ信号について、パーソナルコンピュータ５への転送をデコードユニット５６に指示する。
【００７６】
さらにシステムコントローラ６０は、このようにして設定されたイン点、アウト点等のタイムコードをパーソナルコンピュータ５に通知する。またパーソナルコンピュータ５より出力される制御コマンドに応動して、ディスクドライブユニット５０を制御し、これによりパーソナルコンピュータ５により作成された編集リストＥＤＬに従って編集結果をモニタできるようにする。
【００７７】
このディスクドライブユニット５０の制御において、システムコントローラ６０は、光ディスク３の装填等がディスクドライブユニット５０等から通知されると、ディスクドライブユニット５０にシステムデータ領域ＡＲ１の再生を指示し、このシステムデータ領域ＡＲ１に記録された管理用データを取得して保持する。さらにこの取得した管理用データより、光ディスク３で共通のシリアル番号、光ディスク３に割り当てられた固有の識別データをパーソナルコンピュータ５に通知し、これによりパーソナルコンピュータ５において、この識別データをいわゆるロール番号として編集作業に利用できるようにする。
【００７８】
またシステムコントローラ６０は、基本の操作ボタン４２、編集操作ボタン４４、サーチダイヤル４３の操作により、光ディスク３をアクセスする場合に、このようにして取得した各ファイルの管理データに基づいて、オペレータの意図するファイルを選択的にアクセスし、これにより編集効率を向上する。なおこれらは、カメラマンにより設定された識別データにより、編集に使用不可能と判断されたファイルを除いて光ディスク３をアクセスする場合等である。
【００７９】
またシステムコントローラ６０は、光ディスク３に記録された各ファイルの管理用データ、イン点、アウト点の設定されたファイル名、イン点、アウト点のタイムコードをパーソナルコンピュータ５に通知し、これによりパーソナルコンピュータ５において、これらのデータを用いて編集リストを作成できるようにする。なおシステムデータ領域より再生された最適光量のデータは、ディスクドライブユニット５０におけるレーザービームの光量制御に使用される。
【００８０】
これに対して編集操作ボタン４４のうち、プレビューの操作ボタンが操作されると、この操作をパーソナルコンピュータ５に通知し、この通知に対応してパーソナルコンピュータ５より送出される編集リストＥＤＬに従ってディスクドライブユニット５０を制御する。すなわちシステムコントローラ６０は、編集リストに従って光ディスク３に記録されたディジタルビデオ信号及びディジタルオーディオ信号を離散的にアクセスするように、ディスクドライブユニット５０の動作を制御する。これによりシステムコントローラ６０は、プレビューの結果をディスプレー４０、内蔵スピーカー４１Ｌ、４１Ｒで確認できるようになされ、またパーソナルコンピュータ５側でも確認できるようになされている。
【００８１】
またパーソナルコンピュータ５よりプレビューによる再生コマンドが順次入力されると、この制御コマンドに付加されたアドレスデータに従って、同様に、光ディスク３に記録されたディジタルビデオ信号及びディジタルオーディオ信号を離散的にアクセスする。
【００８２】
またシステムコントローラ６０は、ポインティングデバイス４５が操作されると、この操作データをパーソナルコンピュータ５に通知する。これによりシステムコントローラ６０は、このポインティングデバイス４５の操作により、パーソナルコンピュータ５側においてＧＵＩ（Graphical User Interface）による編集作業を実行できるようになされている。
【００８３】
さらにシステムコントローラ６０は、編集作業が完了すると、パーソナルコンピュータ５より編集リストＥＤＬを取得し、ディスクドライブユニット５０の動作を制御してこの編集リストＥＤＬを光ディスク３のシステムデータ領域に記録する。
【００８４】
なお例えばこのビュアー４にビデオテープレコーダ等が接続されて録画の操作ボタンが操作された場合、システムコントローラ６０は、管理データよりユーザー領域ＡＲ２の空き領域を検出する。さらに光ディスク３の駆動を線速度一定の条件に切り換えた後、この空き領域にエンコードユニット５８から出力されるディジタルビデオ信号及びディジタルオーディオ信号を記録するように、ディスクドライブユニット５０の動作を制御する。さらに記録を完了すると、システムデータ領域に管理用データを追加記録する。このディジタルビデオ信号及びディジタルオーディオ信号の記録の際に、システムコントローラ６０は、テレビジョンカメラ２における１組の光ピックアップ７Ａ、７Ｂのシークによるオーディオ信号の記録領域とビデオ信号の記録領域とのアクセスに代えて、２組の光ピックアップ５１Ａ１〜５１Ｂ２を交互に駆動してディジタルビデオ信号及びディジタルオーディオ信号を交互に光ディスク３に記録する。
【００８５】
図１０は、エンコードユニット５８及びデコードユニット５６の構成を詳細に示すブロック図である。なおこの構成において、エンコードユニット５８及びデコードユニット５６は、図４及び図６について上述した記録信号処理回路１１及び再生信号処理回路１５と同様にディジタルビデオ信号及びディジタルオーディオ信号を処理する。
【００８６】
すなわちビデオシグナルプロセッサ５８Ａ及びエンコーダ５８Ｄは、図４について上述したメモリ２５を除くビデオプロセス回路２０からストライピング回路２６までとほぼ同一に構成され、例えばこのビュアー４に接続されたビデオテープレコーダ等よりディジタルビデオ信号Ｖ１を受け、このディジタルビデオ信号を光ディスク３の記録に対応するフォーマットによる２系統のデータ列に変換する。
【００８７】
オーディオシグナルプロセッサ５８Ｂは、エンコーダ５８Ｄと共に、４チャンネルのディジタルビデオ信号を処理できる点を除いて、図４について上述したメモリ２５を除くオーディオプロセス２３からＥＣＣ回路２４までとほぼ同一に構成され、例えばこのビュアー４に接続されたビデオテープレコーダ等よりディジタルオーディオ信号Ａ１〜Ａ４を受け、このディジタルオーディオ信号Ａ１〜Ａ４を光ディスク３の記録に対応するフォーマットによる２系統のデータ列に変換する。
【００８８】
メモリ５８Ｃは、大容量のバッファメモリにより構成され、ビデオシグナルプロセッサ５８Ａ、オーディオシグナルプロセッサ５８Ｂより出力されるデータ列を一時保持して時間軸圧縮した後、メモリ２５（図４）とほぼ同一のタイミング、順序により出力する。かくするにつきディスクドライブユニット５０（図９）においては、このエンコードユニット５８の構成に対応して、信号処理回路５５にチャンネルコーディング回路２７Ａ、２７Ｂから駆動回路２９Ａ、２９Ｂに対応する構成が形成されることになる。
【００８９】
これによりビュアー４は、テレビジョンカメラ２と同様に、図２について上述したフォーマットによりディジタルビデオ信号及びディジタルオーディオ信号を光ディスク３に記録する。
【００９０】
デコードユニット５６において、デコーダ５６Ａは、ビデオシグナルプロセッサ５６Ｂと共に、図６について上述したミクサ３４からビデオプロセス３８までとほぼ同一に構成され、ディスクドライブユニット５０より出力される４系統の再生データを処理してディジタルビデオ信号Ｖ１を復号し、このディジタルビデオ信号Ｖ１をディスプレー４０に表示し、またパーソナルコンピュータ５、外部機器に出力する。
【００９１】
またデコーダ５６Ａは、オーディオシグナルプロセッサ５６Ｃと共に、図６について上述したミクサ３４からオーディオプロセス３９までとほぼ同一に構成され、ディスクドライブユニット５０より出力される４系統の再生データを処理してディジタルオーディオ信号Ａ１〜Ａ４を復号し、このディジタルオーディオ信号Ａ１〜Ａ４を内蔵スピーカ４１Ｌ、４１Ｒに出力し、またパーソナルコンピュータ５、外部機器に出力する。
【００９２】
メモリ５６Ｄは、大容量のバッファメモリで構成され、デコーダ５６Ａの出力データを間欠的に取り込んで保持すると共に、連続したデータ列によりビデオシグナルプロセッサ５６Ｂ、オーディオシグナルプロセッサ５６Ｃに出力する。
【００９３】
この一連の処理においてデコードユニット５６は、ディジタルビデオ信号及びディジタルオーディオ信号について、２組の光ピックアップ５１Ａ１〜５１Ｂ２より得られる各２系統の再生データを同時並列的に処理してディジタルビデオ信号及びディジタルオーディオ信号を再生する。またデコードユニット５６は、角速度一定の条件により、記録時に比して高速度で得られる再生データをメモリ５６Ｄに間欠的に取り込んで連続したディジタルビデオ信号Ｖ１及びディジタルオーディオ信号Ａ１〜Ａ４を出力し、ビュアー４では、この間欠的な再生により発生する待ち時間を光ピックアップ５１Ａ１〜５１Ｂ２のシーク時間に割り当て、編集リストに従って離散的に光ディスク３をアクセスしても連続したディジタルビデオ信号及びディジタルオーディオ信号を出力できるようになされている。
【００９４】
（１−２）第１の実施の形態の動作
以上の構成において、この編集システム１は（図１）、テレビジョンカメラ２において、取材内容でなるディジタルビデオ信号、ディジタルオーディオ信号が光ディスク３に記録される。さらにこの光ディスク３がビュアー４に装填されて再生され、取材結果が確認され、さらにこの取材結果より作成した編集リストが光ディスク３に記録される。
【００９５】
これにより取材内容と、取材内容を編集した編集リストとを１の記録媒体で一元的に管理することができ、この光ディスク３を取材現場より持ち帰って編集リストに従って順次再生することにより、取材内容を速やかに放送に供することができる。また編集作業においては、光ディスク３を単にビュアー４に装填するだけで所望のカットを選択して編集作業を実行することができ、これにより編集に供する時間が従来に比して格段的に低減される。また編集後においても、いちいち磁気テープ等の記録媒体に記録し直す作業が省略される。
【００９６】
さらにこの光ディスク３においては、取材内容が編集に適するか否かの識別データ等が管理用データとして記録されることにより、その分編集作業時、これらの管理用データに基づいて記録されたディジタルビデオ信号及びディジタルオーディオ信号を選択的に再生して、編集作業の効率が図られる。
【００９７】
すなわちテレビジョンカメラ２においては（図４）、カメラユニット１４より出力されるディジタルビデオ信号Ｖ１が、ビデオプロセス回路２０により前処理された後、データ圧縮回路２１によりデータ圧縮され、続くパッキング回路２２によりブロック化される。さらに続くＥＣＣ回路２４でディジタルオーディオ信号と共に誤り訂正符号が付加された後、メモリ２５を介して、ストライピング回路２６で２系統のデータ列に変換される。さらにこの２系統のデータ列がチャンネルコーディング回路２７Ａ、２７Ｂで変調された後、セクタライズ回路２８Ａ、２８Ｂ、駆動回路２９Ａ、２９Ｂを介して線速度一定の条件により光ディスク３に記録される。
【００９８】
このときディジタルビデオ信号及びディジタルオーディオ信号は（図３）、光ディスク３の両面に配置された１対の光ピックアップ７Ａ及び７Ｂにより、線速度一定の条件により回転駆動される光ディスク３の両面に、同時に記録される。またディジタルビデオ信号及びディジタルオーディオ信号は、メモリ２５の入出力により、所定の時間間隔で交互に光ディスク３に記録され、これと連動する光ピックアップ７Ａ及び７Ｂのシークにより、ディジタルビデオ信号は、ユーザー領域ＡＲ２の外周側領域に、外周側より記録され、またディジタルオーディオ信号は、ユーザー領域ＡＲ２の内周側領域に、外周側より記録される（図２）。これにより光ディスク３では、光ディスク３の両面に、角速度一定の条件により回転駆動して光ディスク３を再生した際に、高転送レートによりデータを再生することができる外周側領域より順次ディジタルビデオ信号及びディジタルオーディオ信号が同心円状に分割された各領域に記録される。
【００９９】
また光ディスク３への記録が完了すると（図３）、録画ボタン１７、操作子１９、マーカーキー１９Ａより検出される録画開始の時点、録画終了の時点におけるタイムコード、光ディスク３のアドレス、撮像した日時、場所、カメラマンの名前のデータ、編集可能ファイルか否かの識別データが、カメラユニット１４より通知されるセッティングデータＤＳと共に、光ディスク３に記録された各ファイル毎に、光ディスク３の内周側に割り当てられたシステムデータ領域ＡＲ１の第２の領域ＡＲ１Ｂに記録される（図２）。
【０１００】
またこのように光ディスク３に記録されたディジタルビデオ信号及びディジタルオーディオ信号は、テレビジョンカメラ２において（図３、図６及び図７）、光ピックアップ７Ａ及び７Ｂより得られる再生信号ＲＦが、それぞれ前処理回路３０Ａ、３０Ｂにおいて補正された後、ＰＲＭＬ回路３１Ａ、３１Ｂ、チャンネルデコーディング回路３２Ａ、３２Ｂを介して復号され、メモリ３３Ａ、３３Ｂに入力される。
【０１０１】
このときディジタルビデオ信号及びディジタルオーディオ信号は、光ピックアップ７Ａ及び７Ｂのシークにより、一定の時間間隔で交互に光ディスク３より再生された後、メモリ３３Ａ、３３Ｂの入出力により、所定ブロック単位で連続する配列に変更され、続くミクサ３４により１系統のデータ列に戻される。
【０１０２】
さらに続くＥＣＣ回路３５において、誤り訂正処理された後、ディジタルオーディオ信号は、オーディオプロセス３９より復調されて出力される。またディジタルビデオ信号は、デパッキング回路３６により元の配列に戻された後、データ伸長回路３７によりデータ伸長され、ビデオプロセス回路３８により復調されて出力される。これにより光ディスク３の各領域にそれぞれ記録されたディジタルビデオ信号及びディジタルオーディオ信号が、交互に再生されて連続した信号として出力され、光ディスク３に記録された取材内容が、必要に応じてこのテレビジョンカメラ２により再生されて取材内容が確認される。
【０１０３】
このようにして取材現場にて、テレビジョンカメラ２による取材を完了すると、この取材内容を記録した光ディスク３がビュアー４に装填され、ビュアー４及びパーソナルコンピュータ５により編集作業が実行される（図８）。ここでビュアー４において、電源が投入されると、又は光ディスク３が装填されると、光ディスク３は、光ディスク３を間に挟んで対向するように保持された２組の光ピックアップ５１Ａ１、５１Ａ２、５１Ｂ１、５１Ｂ２のうちの１組の光ピックアップ５１Ａ１、５１Ａ２により、システムデータ領域ＡＲ１に記録された各ファイルの管理用データが再生され、この管理用データがシステムコントローラ６０に保持され、またパーソナルコンピュータ５に出力される。
【０１０４】
この状態でオペレータがビュアー４に配置された基本の操作ボタン４２のうち記録に関する操作ボタンを操作すると（図９）、又はパーソナルコンピュータ５より記録等のコマンドが入力されると、光ディスク３が線速度一定の条件により回転駆動された状態で、ビデオテープレコーダ等から入力されるディジタルビデオ信号及びディジタルオーディオ信号がテレビジョンカメラ２における処理と同様に、光ディスク３の各領域に記録される。
【０１０５】
またオペレータがビュアー４に配置された基本の操作ボタン４２のうち再生に関する操作ボタンを操作すると（図９）、又はパーソナルコンピュータ５より再生等のコマンドが入力されると、光ディスク３が角速度一定の条件により駆動された状態で、この操作に応動して１対の光ピックアップ５１Ａ１、５１Ｂ１がディジタルビデオ信号に割り当てられた領域をアクセスし、また残る１対の光ピックアップ５１Ａ２、５１Ｂ２がディジタルオーディオ信号に割り当てられた領域をアクセスし、これら光ピックアップ５１Ａ１〜５１Ｂ２より出力される再生信号ＲＦが、信号処理回路５５により信号処理された後、その結果得られる再生データがデコードユニット５６により処理されてディジタルビデオ信号及びディジタルオーディオ信号が再生される。さらにこの再生されたディジタルビデオ信号及びディジタルオーディオ信号がディスプレー４０、内蔵スピーカー４１Ｌ、４１Ｒより出力される。これによりテレビジョンカメラ２による取材内容をビュアー４で確認することができる。
【０１０６】
このときビュアー４のシステムコントローラ６０、パーソナルコンピュータ５により、光ディスク３のシステムデータ領域に記録された各ファイルの管理データに基づいて、カメラマンが編集可能と判断したファイルが選択的に再生され、これにより無駄な取材内容をモニタすることなく、取材内容を簡易かつ確実に判断することができる。
【０１０７】
またビュアー４において、２組の光ピックアップ５１Ａ１、５１Ａ２、５１Ｂ１、５１Ｂ２のうちの、１組の光ピックアップ５１Ａ１、５１Ａ２によりディジタルビデオ信号が再生され、残る１組の光ピックアップ５１Ｂ１、５１Ｂ２によりディジタルオーディオ信号が再生され、これにより情報記録面を同心円状に分割してディジタルビデオ信号及びディジタルオーディオ信号を順次記録した光ディスク３より、同時並列的に、所望のディジタルビデオ信号と対応するディジタルオーディオ信号とが再生される。
【０１０８】
このようにして光ディスク３に記録された取材内容を確認してオペレータがビュアー４に配置された編集操作ボタン４４を操作すると、この操作に応動してイン点、アウト点が設定され、編集対象のカットが選択される。またパーソナルコンピュータ５側における所定のメニューの選択操作によっても、同様に編集対象のカットが選択される。また同様にしてディジタルオーディオ信号についても、ビュアー４の操作により、又はパーソナルコンピュータ５の操作により、編集対象のカットが選択される。
【０１０９】
このようにして編集対象のカットが選択された後、パーソナルコンピュータ５において、例えばこれらのカットがオペレータの所望する順序で配列され、この配列により編集リストが作成される。
【０１１０】
この状態でオペレータがプレビューを選択すると、この編集リストに従った再生順序によりパーソナルコンピュータ５からビュアー４に制御コマンドが発行され、編集順序により光ディスク３が再生され、これによりディスプレー４０、内蔵スピーカー４１Ｌ、４１Ｒ、パーソナルコンピュータ５を介して、編集結果が確認される。
【０１１１】
これらビュアー４における光ディスク３の再生において、光ディスク３は、線速度一定の条件によりシステムデータ領域ＡＲ１をアクセスする際の回転速度より高速度な、角速度一定の条件で回転駆動されていることにより、ディジタルビデオ信号及びディジタルオーディオ信号がそれぞれ記録時より高転送レートにより間欠的に再生され、この間欠的に再生されたディジタルビデオ信号及びディジタルオーディオ信号がメモリ５６Ｄを介して連続するディジタル信号として出力される。
【０１１２】
これによりこの間欠的にディジタルビデオ信号及びディジタルオーディオ信号を再生して発生する待ち時間が光ピックアップ５１Ａ１〜５１Ｂ２のシーク時間に割り当てられて、光ディスク３上で離散的に選択された各カットを連続した映像、音声により再生することができる。また角速度一定の条件により回転駆動されていることにより、回転速度の切り換えに要する時間を省略でき、これによっても光ディスク３上で離散的に選択された各カットを連続した映像、音声により再生することができる。
【０１１３】
またこのときディジタルビデオ信号用及びディジタルオーディオ信号用にそれぞれ１組の光ピックアップ５１Ａ１及び５１Ａ２、５１Ｂ１及び５１Ｂ２を割り当てたことにより、例えばディジタルビデオ信号用の光ピックアップ５１Ａ１及び５１Ｂ１により外周側のファイルを再生し、またディジタルオーディオ信号用の光ピックアップ５１Ａ２及び５１Ｂ２により内周側のファイルを再生して、異なるファイルによるディジタルビデオ信号及びディジタルオーディオ信号を組み合わせる場合でも、所望の編集結果を得ることができる。
【０１１４】
さらにこれらの場合に、光ディスク３において、ディジタルビデオ信号とディジタルオーディオ信号とで記録領域を分割したことにより、各光ピックアップ５１Ａ１〜５１Ｂ２においては、ディジタルビデオ信号及びディジタルオーディオ信号を時分割多重化して記録した場合に比して（すなわち図１６について上述したように、例えばＭＰＥＧに規定によるフォーマットによりデータ圧縮したビデオデータ及びオーディオデータを、そのままの時系列により記録した場合に比して）、それぞれディジタルビデオ信号及びディジタルオーディオ信号を効率良く再生することができる。
【０１１５】
すなわちディジタルビデオ信号用の光ピックアップ５１Ａ１及び５１Ｂ１から出力される再生信号ＲＦを処理してディジタルビデオ信号だけを再生することができ、またディジタルオーディオ信号用の光ピックアップ５１Ａ２及び５１Ｂ２から出力される再生信号ＲＦを処理してディジタルオーディオ信号だけを再生することができる。これによりビュアー４の再生系においては、時分割多重化した場合における再生信号の選択的な処理を省略でき、その分簡易な処理によりディジタルビデオ信号及びディジタルオーディオ信号を再生することができ、さらには記録再生能力の低下を有効に回避することができる。
【０１１６】
またテレビジョンカメラ２において、このように角速度一定の条件により回転駆動した際に、高転送レートにより記録されたデータを再生することができる外周側領域より順次ディジタルビデオ信号及びディジタルオーディオ信号が記録されていることにより、光ピックアップをシークさせても、十分な空き時間を確保して連続するディジタルビデオ信号及びディジタルオーディオ信号を再生できるようになされている。
【０１１７】
すなわち磁気テープを用いたテレビジョンカメラを取材に使用する場合、一般に、記録画時間が２０分程度の磁気テープが使用される。特に、ニュース等の取材現場においては、この種の記録媒体において未記録領域が無くなるまで取材内容を記録することは稀で、多くの未記録領域が発生する場合が多い。これにより光ディスク３を用いて取材内容を記録する場合でも、光ディスク３に未記録領域を残したまま、取材を完了する場合が多いと考えられる。
【０１１８】
このような場合に、高転送レートにより記録されたデータを再生することができる外周側領域より順次ディジタルビデオ信号及びディジタルオーディオ信号を記録すれば、シークを頻繁に繰り返す場合でも、内周側よりディジタルビデオ信号及びディジタルオーディオ信号を記録する場合に比して、十分な時間的な余裕を確保してディジタルビデオ信号及びディジタルオーディオ信号を途切れることなく再生することができる。
【０１１９】
このようにしてプレビューにより編集結果を確認したオペレータにより再度各カットのイン点、アウト点等を変更する場合、ビュアー４、パーソナルコンピュータ５においては、操作ボタン等の操作に応動してオペレータの所望するファイルを再生し、またイン点、アウト点等の変更を受け付け、さらにプレビューの処理を実行する。これらにより最終的な編集リストが確定すると、パーソナルコンピュータ５に保持された編集リストにファイル名が付加されてビュアー４に転送され、回転駆動の条件が線速度一定の条件に切り換えられてなる光ディスク３のシステムデータ領域に記録される。
【０１２０】
取材現場では、この光ディスク３をビュアー４より排出して放送局に持ち帰り、この放送局において、ビュアー４におけるプレビューの場合と同様にして、光ディスク３に記録された編集リストに従って光ディスク３に記録された取材内容を再生して放送に使用することができる。またこれに代えてビュアー４より所望の通信回線を介して、編集リストに従って光ディスク３の再生結果を放送局に伝送して取材結果を放送に使用することができる。
【０１２１】
（１−３）第１の実施の形態の効果
以上の構成によれば、光ディスク３の情報記録面を同心円状に分割し、内周側及び外周側領域にそれぞれディジタルオーディオ信号及びディジタルビデオ信号を記録したことにより、それぞれディジタルオーディオ信号及びディジタルビデオ信号を再生する際における記録再生能力の低下を有効に回避することができる。
【０１２２】
従って光ディスク３の最内周に編集リストを記録して、取材から編集までの過程を１の光ディスクにより処理する場合に、記録再生能力の低下を有効に回避することができる。
【０１２３】
また各領域において、外周側よりディジタルオーディオ信号及びディジタルビデオ信号を記録することにより、シークに十分な時間を確保して、光ディスク３を離散的にアクセスして連続した音声及び映像を出力することができる。
【０１２４】
またこれらに加えて最内周に各ファイルの管理用データを記録したことにより、この管理用データを有効に利用して編集作業の効率を図ることができる。
【０１２５】
（２）第２の実施の形態
図１１は、第２の実施の形態に係るテレビジョンカメラにおけるディジタルビデオ信号及びディジタルオーディオ信号の処理に説明に供するタイムチャートである。この第２の実施の形態においては、ディジタルビデオ信号及びディジタルオーディオ信号の処理のタイミングが相違する点、このタイミングの相違により光ピックアップ７Ａ、７Ｂ、５１Ａ１〜５１Ｂ２の制御が異なる点等を除いて、第１の実施の形態と同様でなることにより、第１の実施の形態について上述した図１〜図１０を適宜流用して説明し、重複した説明は省略する。
【０１２６】
この実施の形態において、テレビジョンカメラ２の記録信号処理回路１１は、連続するディジタルビデオ信号Ｖ１（図１１（Ａ））及びディジタルオーディオ信号Ａ１、Ａ２（図１１（Ｂ１）及び（Ｂ２））を、例えば１フレーム以下を単位にして時分割多重化してメモリ２５に入力する（図１１（Ｃ））。メモリ２５は、これらディジタルビデオ信号Ｖ１及びディジタルオーディオ信号Ａ１、Ａ２を時間軸圧縮し、ディジタルビデオ信号Ｖ１の１０フレームを単位にして、順次循環的にディジタルビデオ信号Ｖ１、ディジタルオーディオ信号Ａ１、Ａ２が連続するように配列して出力する（図１１（Ｄ））。
【０１２７】
テレビジョンカメラ２においては、メモリ２５の出力を光ディスク３のユーザー領域ＡＲ２に外周側より順次記録し、これにより図１２に示すように、光ディスク３の情報記録面を同心円状に複数の領域に分割し、ディジタルビデオ信号及びディジタルオーディオ信号を各領域に順次循環的に割り当てる。これによりテレビジョンカメラ２では、第１の実施の形態に比して頻繁な光ピックアップ７Ａ、７Ｂのシークを低減できるようになされている。なおこの光ディスク３は、第１の実施の形態に係る光ディスク３と同様に、相変化型の光ディスクであり、プリコーディングにより２６のゾーンにソーニングされるようになされている。
【０１２８】
さらにテレビジョンカメラ２では、再生時、連続する領域を外周側より順次アクセスし、これにより図１３に示すように、１０フレーム単位で、順次循環的にディジタルビデオ信号Ｖ１、ディジタルオーディオ信号Ａ１、Ａ２が連続するように光ピックアップ７Ａ及び７Ｂを駆動する（図１３（Ａ））。テレビジョンカメラ２の再生信号処理回路１５は（図６）、メモリ３３Ａ、３３Ｂの入出力において、この１０フレーム単位で、順次循環的にディジタルビデオ信号Ｖ１、ディジタルオーディオ信号Ａ１、Ａ２が連続する再生データを、１フレーム以下を単位にしてディジタルビデオ信号Ｖ１、ディジタルオーディオ信号Ａ１、Ａ２が連続するように配列を変更し（図１３（Ｂ））、その後連続するデータ列により出力する（図１３（Ｃ）、（Ｄ１）及び（Ｄ２））。これによりテレビジョンカメラ２では、再生時においても、第１の実施の形態に比して頻繁な光ピックアップ７Ａ、７Ｂのシークを低減できるようになされている。
【０１２９】
ビュアー４は、このテレビジョンカメラと同様にして、例えばビデオテープレコーダ等より入力されるディジタルビデオ信号及びディジタルオーディオ信号を光ディスク３に記録する。またビュアー４は、角速度一定の条件により光ディスク３を回転駆動した状態で、オペレータの操作に応動して、またパーソナルコンピュータ５の制御により、光ディスク３をアクセスしてディジタルビデオ信号及びディジタルオーディオ信号を再生して出力する。
【０１３０】
この再生時において、ビュアー４においては、２組の光ピックアップにより同時並列的に、かつ間欠的にディジタルビデオ信号及びディジタルオーディオ信号を再生し、メモリ５６Ｄ（図１０）の入出力により、この再生したディジタルビデオ信号及びディジタルオーディオ信号を連続するディジタルビデオ信号及びディジタルオーディオ信号により出力する。また間欠的に光ディスク３を再生して余る待ち時間を光ピックアップのシークに割り当て、また１０フレームを単位にしてディジタルビデオ信号及びディジタルオーディオ信号を順次循環的に光ディスク３に記録したことにより、光ディスク３を離散的にアクセスして連続する音声、映像を出力する。
【０１３１】
すなわち、この実施の形態のように、情報記録面を２６のゾーンに分割してディジタルオーディオ信号及びディジタルビデオ信号を記録した光ディスク３をアクセスする場合、最内周のゾーン０と最外周のゾーン２５との間をシークする場合に、シークに最も時間を要する。この場合、図１４に示すように、例えば最内周のゾーン０より最外周のゾーン２５まで、シーク時間seek(n) を要して光ピックアップをシークさせた後、このゾーン２５の所望のセクタを再生した後、再びシーク時間seek(n) を要して光ピックアップを元のゾーン０にシークさせ、このゾーン０で所望のセクタを再生するとして、このシーク時間seek(n) は、シークにより光ピックアップが横切るトラック数ｎに対して、一般に、比例定数ａを用いて、次式の関係式により表される。
【０１３２】
【数１】
0004367975.tif 000002
【０１３３】
ここでシーク時間の短い一般的な光ディスク装置においては、光ディスクの半径ｒの１／３の距離をシークするのに、約３０〔msec〕の時間を要することにより、シーク時間seek(n) は、次式の関係式により表される。ただし、ディジタルビデオ信号は、３０〔フレーム／sec 〕とし、１〔Fr〕は、１／３０〔sec 〕とする。
【０１３４】
【数２】
0004367975.tif 000003
【０１３５】
またシーク後において、目的のセクタを再生するまでの待ち時間rwは、最大で、光ディスク３が１回転するまでの時間を要し、光ディスク３の回転数を５０００〔rpm 〕とすると、次式の関係式により表される。
【０１３６】
【数３】
0004367975.tif 000004
【０１３７】
これに対してゾーンＮのセクタ数sn(N) は、片面で、次式により表される。
【０１３８】
【数４】
0004367975.tif 000005
【０１３９】
一般に３０〔Mbps〕によるデータ転送速度において、ビデオデータ量は、６４〔セクタ／フレーム〕程度でなることにより、この実施の形態のように、５０００〔rpm 〕により両面を同時にアクセスする場合、ゾーンＮにおける再生速度rs(N) は、次式により表される。
【０１４０】
【数５】
0004367975.tif 000006
【０１４１】
これによりシークを開始する時点ｔ１において、メモリ５６Ｄに保持したｍフレームのディジタルビデオ信号がメモリ５６Ｄより完全に出力し終わるまでの間で、一連の処理を完了しなければ、すなわちフレーム数ｍとの間で、次式の関係式が成り立たなければ、メモリ５６Ｄより出力するディジタルビデオ信号が一時途絶えることになる。
【０１４２】
【数６】
0004367975.tif 000007
【０１４３】
この（６）式に、上述した（１）〜（５）式の条件を代入すれば、次式の関係式を得ることができる。
【０１４４】
【数７】
0004367975.tif 000008
【０１４５】
これにＮ＝26を代入すれば、次式の関係式を得ることができる。
【０１４６】
【数８】
0004367975.tif 000009
【０１４７】
これにより上述した条件では、計算上、光ディスク３の最内周と最外周とで、平均４．５フレームのカットを繰り返すように光ディスク３を再生しても、ディジタルビデオ信号を途絶えることなく出力できることがわかる。また最内周より最外周にシークして１フレームだけディジタルビデオ信号を再生した後、最内周に戻るように光ディスク３を再生しても、この一連の処理が８．８５フレーム周期以上であれば、ディジタルビデオ信号を途絶えることなく出力できることがわかる。
【０１４８】
これに対して実際の編集作業においては、１０フレーム以下のカットを繰り返すような場合は極めて稀で、特にニュース等で取材内容を編集する場合には、数秒以上のカットを繰り返す場合が多い。これによりこの実施の形態では、光ディスク３に１０フレームを単位にしてディジタルビデオ信号及びディジタルオーディオ信号を順次循環的に記録することにより、短いカットを繋ぎ併せるような編集処理においても、連続するディジタルビデオ信号及びディジタルオーディオ信号を出力できるようになされている。
【０１４９】
以上の構成によれば、情報記録面を同心円状に複数の領域に分割し、ディジタルビデオ信号及びディジタルオーディオ信号を順次循環的に各領域に割り当てて記録するようにしても、各領域においてそれぞれディジタルビデオ信号及びディジタルオーディオ信号だけを再生することができ、これにより記録再生能力の低下を有効に回避することができる。また第１の実施の形態に比して、シークの頻度を格段的に低減してディジタルビデオ信号及びディジタルオーディオ信号を記録し、また再生することができる。
【０１５０】
これにより光ディスク３の最内周に編集リストを記録して、取材から編集までの過程を１の光ディスクにより処理する場合に、記録再生能力の低下を有効に回避することができる。
【０１５１】
また外周側の各領域よりディジタルオーディオ信号及びディジタルビデオ信号を記録することにより、シークに十分な時間を確保して、光ディスク３を離散的にアクセスして連続した音声及び映像を出力することができる。
【０１５２】
またこれらに加えて最内周に各ファイルの管理用データを記録したことにより、この管理用データを有効に利用して編集作業の効率を図ることができる。
【０１５３】
さらに各領域において、１０フレームを単位にしてディジタルビデオ信号、ディジタルオーディオ信号を順次循環的に記録することにより、実際の編集作業において短いカットを繋ぎ併せるような場合でも、ディジタルビデオ信号及びディジタルオーディオ信号を途切れることなく出力することができる。
【０１５４】
（３）第３の実施の形態
この実施の形態においては、第２の実施の形態と同様に、１０フレームを単位にしてディジタルビデオ信号及びディジタルオーディオ信号を順次循環的に光ディスク３に記録する。このとき図１５に示すように、情報記録面を同心円状に分割した各領域ＡＲ２−１、ＡＲ２−２、……において、各領域ＡＲ２−１、ＡＲ２−２、……の中央部分にディジタルオーディオ信号Ａ１〜Ａ４を記録するように、ディジタルビデオ信号及びディジタルオーディオ信号を配列して光ディスク３に記録する。すなわち第２の実施の形態においては、光ピックアップ７Ａ及び７Ｂのシーク頻度を格段的に低減できるものの、光ディスク３の再生を開始して１０フレーム分のディジタルビデオ信号をメモリに保持して初めてディジタルオーディオ信号の再生が開始される。これにより再生を開始して実際に音声及び映像が出力されるまでの間、時間を要する問題がある。
【０１５５】
ところがこのように各領域ＡＲ２−１、ＡＲ２−２、……の中央部分にディジタルオーディオ信号Ａ１〜Ａ４を記録するように、ディジタルビデオ信号及びディジタルオーディオ信号を配列して光ディスク３に記録すれば、この待ち時間を低減することができる。
【０１５６】
図１５に示す構成によれば、テレビジョンカメラにおいて取材結果を速やかに確認することができ、その分使い勝手を向上することができる。
【０１５７】
（４）他の実施の形態
なお上述の実施の形態においては、テレビジョンカメラにおいて、１対の光ピックアップでディジタルビデオ信号及びディジタルオーディオ信号を記録する場合について述べたが、本発明はこれに限らず、例えば角速度一定の条件により光ディスクを駆動してそれぞれディジタルビデオ信号用の光ピックアップ、ディジタルオーディオ信号用の光ピックアップにより光ディスクをアクセスするようにしてもよい。
【０１５８】
また上述の第１の実施の形態においては、ディジタルビデオ信号及びディジタルオーディオ信号を交互に出力すると共に、光ピックアップをシークさせて各領域にディジタルビデオ信号及びディジタルオーディオ信号を記録する場合について述べたが、本発明はこれに限らず、例えば録画ボタンが操作されて録画を終了するまでの間、ディジタルビデオ信号を対応する領域に記録し、その後メモリに保持したディジタルオーディオ信号を対応する領域に記録するようにしてもよい。このようにすれば光ピックアップのシークの頻度を低減することができる。
【０１５９】
さらに上述の実施の形態においては、１チャンネルのディジタルビデオ信号と４チャンネルのディジタルオーディオ信号とを光ディスクに記録する場合について述べたが、本発明はこれに限らず、ディジタルビデオ信号及びディジタルオーディオ信号のチャンネル数は必要に応じて種々に設定することができる。
【０１６０】
また上述の実施の形態においては、光ディスクの両面で同じようにディジタルビデオ信号及びディジタルオーディオ信号を記録する場合について述べたが、本発明はこれに限らず、例えば光ディスクに１の面にはディジタルビデオ信号だけを記録し、他の面にはディジタルビデオ信号及びディジタルオーディオ信号を記録する場合等にも広く適用することができ、また光ディスクの片面だけに記録する場合にも広く適用することができる。
【０１６１】
また上述の第２及び第３の実施の形態においては、１０フレームを単位にしてディジタルビデオ信号及びディジタルオーディオ信号を記録する場合について述べたが、本発明はこれに限らず、例えばシーク速度、光ディスクの回転速度に依存するデータ転送速度等に応じて、（１）式から（８）式について上述した数値が異なることにより、実際上、少なくとも５フレーム以上連続するようにディジタルビデオ信号及びディジタルオーディオ信号を順次光ディスクに記録して、第２及び第３の実施の形態と同様の効果を得ることができる。
【０１６２】
なおこの連続するフレーム数の上限値としては、この種の編集システムに求められる要求、バッファメモリに割り当て可能な容量によって変化するものの、例えば数百フレームに設定すれば、光ピックアップのトラックジャンプ（スレッド機構による光ピックアップ全体の変位によらずに、対物レンズの変位によるシークでなる）によりシークすることができることにより、例えば小容量のメモリを用いて頻繁なシークにより各領域にディジタルビデオ信号及びディジタルオーディオ信号を記録する場合に、シーク時間による無駄な待ち時間を低減することができる。
【０１６３】
また上述の実施の形態においては、外周側よりビデオ信号及びオーディオ信号を順次循環的に記録する場合について述べたが、本発明はこれに限らず、十分なデータ転送速度を確保できる場合には、面ぶれ等が少なく安定してデータを再生することができる内周側より記録してもよく、またアドレス管理との関係で、一定領域を間に挟んで離散的に記録してもよい。
【０１６４】
さらに上述の実施の形態においては、最内周にシステムデータ領域を形成する場合について述べたが、本発明はこれに限らず、必要に応じて種々の領域に記録することができる。またビデオ信号及びオーディオ信号の記録領域に続いて、これらシステムデータ領域を形成してもよい。この場合に例えば、中央領域に記録すれば、システムデータ領域の書き換えの為の光ピックアップのシーク時間を均一化することができる。
【０１６５】
また上述の実施の形態においては、１チャンネルのビデオ信号を記録する場合について述べたが、本発明はこれに限らず、複数チャンネルのビデオ信号を記録してもよい。この場合に、例えば解像度の高いビデオ信号と、解像度の低いビデオ信号とを記録し、この解像度の低いビデオ信号により編集点の設定等の作業を実行して、ビュアーの負担を軽減することができる。
【０１６６】
また上述の実施の形態においては、１チャンネルのビデオ信号と、時間的に対応するオーディオ信号とを順次記録する場合について述べたが、本発明はこれに限らず、例えば複数の領域に記録したビデオ信号に対応するオーディオ信号を纏めて記録するようにしてもよい。
【０１６７】
さらに上述の実施の形態においては、線速度一定の条件により光ディスクを駆動してディジタルビデオ信号等を記録し、角速度一定の条件により再生する場合について述べたが、本発明はこれに限らず、例えばディスク状記録媒体として光磁気ディスクを適用する場合であって、かつ十分な記録容量を確保できる場合には、記録再生の双方において角速度一定の条件により光ディスクを駆動してもよい。また相変化型の光ディスクを用いる場合でも、レーザー光量の制御により内周側と外周側とで相違する線速度によっても確実に所望のデータを記録できる場合、記録再生の双方において角速度一定の条件により光ディスクを駆動してもよい。
【０１６８】
また上述の実施の形態においては、テレビジョンカメラにおいては１組の光ピックアップにより、ビュアーにおいては２組の光ピックアップにより光ディスクをアクセスする場合について述べたが、本発明はこれに限らず、実用上十分な転送速度を確保できる場合、テレビジョンカメラにおいては片面に配置した１の光ピックアップにより、ビュアーにおいては、片面に配置した２の光ピックアップにより光ディスクをアクセスしてもよい。
【０１６９】
さらに上述の実施の形態においては、ビュアーにより光ディスクを再生する場合について述べたが、本発明はこれに限らず、例えば同様の光ディスクドライブを有するパーソナルコンピュータにより光ディスクを再生し、また編集するようにしてもよい。なおこの場合パーソナルコンピュータが編集装置に該当することになる。
【０１７０】
また上述の実施の形態においては、ディジタルビデオ信号をＭＰＥＧによりデータ圧縮して光ディスクに記録する場合について述べたが、本発明はこれに限らず、種々の手法によりデータ圧縮して記録する場合にも広く適用することができる。
【０１７１】
さらに上述の実施の形態においては、両面に記録可能な相変化型の光ディスクにディジタルビデオ信号及びディジタルオーディオ信号を記録する場合について述べたが、本発明はこれに限らず、両面に記録可能な光磁気ディスク、ライトワンス型の光ディスクを使用してもよく、十分な記録容量を確保できる場合、片面だけを使用するようにしてもよい。
【０１７２】
【発明の効果】
上述のように本発明によれば、取材から編集までの過程を１のディスク状記録媒体により処理できるようにしてこの種のシステムの使い勝手を向上するにつき、ディスク状記録媒体の記録領域を同心円状に分割してビデオ信号の記録領域とオーディオ信号の記録領域を形成することにより、記録再生能力の低下を有効に回避して、ディスク状記録媒体をアクセスすることができる。
【図面の簡単な説明】
【図１】本発明の第１の実施の形態に係る編集システムに適用される光ディスクを示す平面図である。
【図２】図１の編集システムを示す平面図である。
【図３】図１の編集システムのテレビジョンカメラを示すブロック図である。
【図４】図３のテレビジョンカメラの記録信号処理回路を示すブロック図である。
【図５】図４の記録信号処理回路の動作の説明に供するタイムチャートである。
【図６】図３のテレビジョンカメラの再生信号処理回路を示すブロック図である。
【図７】図６の再生信号処理回路の動作の説明に供するタイムチャートである。
【図８】図１の編集システムのビュアーを示す正面図である。
【図９】図８のビュアーの構成を示すブロック図である。
【図１０】図９のビュアーにおけるエンコードユニット及びデコードユニットの構成を詳細に示すブロック図である。
【図１１】図５との対比により本発明の第２の実施の形態に係るテレビジョンカメラの記録信号処理回路の動作の説明に供するタイムチャートである。
【図１２】図１との対比により本発明の第２の実施の形態に係る光ディスクを示す平面図である。
【図１３】図７との対比により本発明の第２の実施の形態に係るテレビジョンカメラの再生信号処理回路の動作の説明に供するタイムチャートである。
【図１４】図１２の光ディスクのシークの説明に供する略線図である。
【図１５】図１２との対比により本発明の第３の実施の形態に係る光ディスクを示す平面図である。
【図１６】時分割多重化したディジタルビデオ信号及びディジタルオーディオ信号を単に記録した場合を示す光ディスクの平面図である。
【符号の説明】
１……編集システム、２……テレビジョンカメラ、３……光ディスク、４……ビュアー、５……パーソナルコンピュータ、７Ａ、７Ｂ、６０Ａ１〜６０Ｂ２……光ピックアップ、ＡＲ１……システムデータ領域、ＡＲ２……ユーザー領域
【図１】
0004367975.tif 000010
【図２】
0004367975.tif 000011
【図３】
0004367975.tif 000012
【図４】
0004367975.tif 000013
【図５】
0004367975.tif 000014
【図６】
0004367975.tif 000015
【図７】
0004367975.tif 000016
【図８】
0004367975.tif 000017
【図９】
0004367975.tif 000018
【図１０】
0004367975.tif 000019
【図１１】
0004367975.tif 000020
【図１２】
0004367975.tif 000021
【図１３】
0004367975.tif 000022
【図１４】
0004367975.tif 000023
【図１５】
0004367975.tif 000024
【図１６】
0004367975.tif 000025